(57)【要約】      （修正有）【課題】テレビ画面やコンピューター画面等の視聴覚的表面の平面と準平面を、クリーニング用の布を用いてクリーニングする道具であって、大きいサイズを不ぞろいになることなくクリーニングでき、前記布を洗い再利用する事ができる道具を提供する。【解決手段】基底１とハンドル２とクリーニングする頭部分３で構成されている道具であって、基底１とハンドル２は、プラスチックか、木材か、金属か、他の固体物質で作られており、クリーニングする頭部分３は、クリーニング用の布から作られている。【選択図】図１−Ａ
2018149267.tif 000002
【特許請求の範囲】
【請求項１】
基底と、ハンドルと、クリーニングする頭部分で構成されている道具。
ここで、前記基底は、プラスチックか、木材か、金属か、他の固体物質で作られている。
またここで、前記基底は、以下の基底から、選ばれている。
長い基底A（主部と、鋭形前部と、非鋭形後部から成っている。）、あるいは、
長い基底B（主部と、鋭形前部と、鋭形後部から成っている。）、あるいは、
長い基底C（主部と、非鋭形前部と、非鋭形後部から成っている。）、あるいは、
長い基底D（主部と、非鋭形前部と、鋭形後部から成っている。）、あるいは、
短い基底E（主部と、鋭形前部から成っている。）、あるいは、
短い基底F（主部から成っている。）、あるいは、
短い基底G（主部と、鋭形後部から成っている。）。
以上に述べた、それぞれの基底の主部は、前記クリーニングする頭部分に、主に、物体の表面の主要部分をクリーニングするために、構造的サポートを与えている。
また、以上に述べた基底（CとD）の非鋭形前部は、前記クリーニングする頭部分に、物体の表面の主要部分をクリーニングするために、構造的サポートを与えている。
そのほかに、物体の表面の縁をクリーニングする事ができる。
また、以上に述べた基底（AとBとE）の鋭形前部は、前記クリーニングする頭部分に、物体の表面の主要部分をクリーニングするために、構造的サポートを与えている。
そのほかに、物体の表面の隅と縁をクリーニングする事ができる。
また、以上に述べた基底（AとC）の非鋭形後部は、前記クリーニングする頭部分に、物体の表面の主要部分をクリーニングするために、構造的サポートを与えている。
そのほかに、物体の表面の縁をクリーニングする事ができる。
また、以上に述べた基底（BとDとG）の鋭形後部は、前記クリーニングする頭部分に、物体の表面の主要部分をクリーニングするために、構造的サポートを与えている。
そのほかに、物体の表面の隅と縁をクリーニングする事ができる。
前記道具の前記ハンドルについて。
前記ハンドルは、プラスチックか、木材か、金属か、他の固体物質で作られている。
またここで、前記ハンドルは、以下のハンドルから選ばれている。
直立しているハンドルAAA、あるいは、
傾きなく開いた端を持つハンドルBBB、あるいは、
傾きなく閉じた端を持つハンドルCCC、あるいは、
傾きを持つハンドルDDD。
前記道具の前記クリーニングする頭部分について。
前記クリーニングする頭部分は、クリーニング用の布から作られている。
またここで、前記クリーニングする頭部分は、以下のクリーニングする頭部分から選ばれている。
分離されているクリーニングする頭部分AA（基底とハンドルから分離されている。）、
あるいは、取り付けられているクリーニングする頭部分BB（基底に取り付けられている。）。
前記道具の有能性について。
前記ハンドルと前記分離されているクリーニングする頭部分AAは、次の事を有能にしている。クリーニング操作中に、使用者は、前記ハンドルと、前記分離されているクリーニングする頭部分AAを一緒に手で持つ事ができる。
【請求項２】
基底と、クリーニングする頭部分で構成されている道具。
ここで、前記基底は、プラスチックか、木材か、金属か、他の固体物質で作られている。
またここで、前記基底は、以下の基底から、選ばれている。
長い基底A（主部と、鋭形前部と、非鋭形後部から成っている。）、あるいは、
長い基底B（主部と、鋭形前部と、鋭形後部から成っている。）、あるいは、
長い基底C（主部と、非鋭形前部と、非鋭形後部から成っている。）、あるいは、
長い基底D（主部と、非鋭形前部と、鋭形後部から成っている。）、あるいは、
短い基底E（主部と、鋭形前部から成っている。）、あるいは、
短い基底F（主部から成っている。）、あるいは、
短い基底G（主部と、鋭形後部から成っている。）。
以上に述べた、それぞれの基底の主部は、前記クリーニングする頭部分に、主に、物体の表面の主要部分をクリーニングするために、構造的サポートを与えている。
また、以上に述べた基底（CとD）の非鋭形前部は、前記クリーニングする頭部分に、物体の表面の主要部分をクリーニングするために、構造的サポートを与えている。
そのほかに、物体の表面の縁をクリーニングする事ができる。
また、以上に述べた基底（AとBとE）の鋭形前部は、前記クリーニングする頭部分に、物体の表面の主要部分をクリーニングするために、構造的サポートを与えている。
そのほかに、物体の表面の隅と縁をクリーニングする事ができる。
また、以上に述べた基底（AとC）の非鋭形後部は、前記クリーニングする頭部分に、物体の表面の主要部分をクリーニングするために、構造的サポートを与えている。
そのほかに、物体の表面の縁をクリーニングする事ができる。
また、以上に述べた基底（BとDとG）の鋭形後部は、前記クリーニングする頭部分に、物体の表面の主要部分をクリーニングするために、構造的サポートを与えている。
そのほかに、物体の表面の隅と縁をクリーニングする事ができる。
前記道具の前記クリーニングする頭部分について。
前記クリーニングする頭部分は、クリーニング用の布から作られている。
またここで、前記クリーニングする頭部分は、分離されているクリーニングする頭部分AA（基底から分離されている。）で作られている。
【請求項３】
基底と、クリーニングする頭部分で構成されている道具。
ここで、前記基底は、プラスチックか、木材か、金属か、他の固体物質で作られている。
またここで、前記基底は、使用者が、前記基底の側面を手で持つことができるように、厚く作られている。
またここで、前記基底は、以下の厚い基底から選ばれている。
長い厚い基底I（主部と、鋭形前部と、非鋭形後部から成っている。）、あるいは、
長い厚い基底J（主部と、鋭形前部と、鋭形後部から成っている。）、あるいは、
長い厚い基底K（主部と、非鋭形前部と、非鋭形後部から成っている。）、あるいは、
長い厚い基底L（主部と、非鋭形前部と、鋭形後部から成っている。）、あるいは、
短い厚い基底M（主部と、鋭形前部から成っている。）、あるいは、
短い厚い基底N（主部から成っている。）、あるいは、
短い厚い基底O（主部と、鋭形後部から成っている。）。
以上に述べた、それぞれの基底の主部は、前記クリーニングする頭部分に、主に、物体の表面の主要部分をクリーニングするために、構造的サポートを与えている。
また、以上に述べた基底（KとL）の非鋭形前部は、前記クリーニングする頭部分に、物体の表面の主要部分をクリーニングするために、構造的サポートを与えている。
そのほかに、物体の表面の縁をクリーニングする事ができる。
また、以上に述べた基底（IとJとM）の鋭形前部は、前記クリーニングする頭部分に、物体の表面の主要部分をクリーニングするために、構造的サポートを与えている。
そのほかに、物体の表面の隅と縁をクリーニングする事ができる。
また、以上に述べた基底（IとK）の非鋭形後部は、前記クリーニングする頭部分に、物体の表面の主要部分をクリーニングするために、構造的サポートを与えている。
そのほかに、物体の表面の縁をクリーニングする事ができる。
また、以上に述べた基底（JとLとO）の鋭形後部は、前記クリーニングする頭部分に、物体の表面の主要部分をクリーニングするために、構造的サポートを与えている。
そのほかに、物体の表面の隅と縁をクリーニングする事ができる。
前記道具の前記クリーニングする頭部分について。
前記クリーニングする頭部分は、クリーニング用の布から作られている。
またここで、前記クリーニングする頭部分は、以下のクリーニングする頭部分から選ばれている。
分離されているクリーニングする頭部分AA（基底から分離されている。）、
あるいは、
取り付けられているクリーニングする頭部分BB（基底に取り付けられている）。
前記道具の有能性について。
前記ハンドルと前記分離されているクリーニングする頭部分AAは、次の事を有能にしている。クリーニング操作中に、使用者は、前記基底の側面と、前記分離されているクリーニングする頭部分AAを一緒に手で持つ事ができる。
【発明の詳細な説明】
【技術分野】
【０００１】
この発明は、平面と準平面を持つ、コンピューター画面と、テレビ画面と、他の視覚的表面をクリーニングする道具に関する。
【背景技術】
【０００２】
テレビやコンピューターの画面をクリーニングする道具が必要となり、それを開発する試みがなされています。特許文献1では、画面ユニットに取り付けられたクリーニングする道具の構造が示されています。
一方、画面ユニットから分離された、独立なクリーニングする道具、そして、効果的かつ手で使い安い道具が市場で求められています。ミクロファイバーで作られたクリーニング用の布が、この目的にあったものとして、市場で売られています。
【先行技術文献】
【特許文献】
【０００３】
【特許文献１】特開平20-182503号公報
【非特許文献】
【０００４】
【非特許文献１】スクリーン  マム （Amazon.com, Amazon.co.jp, 2016年）、エイゾー（Amazon.co.jp, 2016年）
【非特許文献２】マジック  ファイバー（Amazon.com, 2016年）
【非特許文献３】ビッグ  テレビ  スクリーン  クリーナー  ワンド（Amazon.com, Amazon.co.jp, 2016年）
【発明の概要】
【発明が解決しようとする課題】
【０００５】
多くの画面クリーナーが市場において売られています。幾つかの典型的なクリーナーは、非特許文献に引用されています。市場において、大多数の画面クリーナーは、非特許文献に引用されているクリーナーと、同じクリーニング方法を使っています。
非特許文献1は、クリーニング用の液体と、クリーニング用の布を使用しています。
非特許文献2は、クリーニング用の布のみを使用しています。典型的な布は、ミクロファイバーで作られています。非特許文献3は、手作用の道具（ワンド）に取り付けられているクリーニング用の布を使用しています。
非特許文献1と非特許文献2は、布を用いて、手でふく方法を使っています。
1回の手でふく方法のサイズは小さいです。この方法では、大きなテレビ画面（1m から 2m）をクリーニングすることは、簡単でない。なぜならば、小さい手のサイズで、多くの手でふく活動を必要とするからです。画面の表面上で、クリーニングの質は、優れていません。なぜならば、手でふく方法は、不ぞろいなクリーニングをする傾向があるからです。また、画面の表面上に、筋をのこす傾向があるからです。
非特許文献3は、機械構造的サポート道具（ワンド）と、取り付けられたクリーニングする頭部分（布）を使っています。それは、大きなテレビ画面（1m から 2m）をクリーニングすることができます。しかし、画面の表面上で、クリーニングの質は、優れていません。また、クリーニングする頭部分を洗い、そして、再利用する事は簡単ではありません。
このような現状において、本発明の目的は、非特許文献に引用されている道具が持つ問題を、解決する道具を提供する事にある。
【課題を解決するための手段】
【０００６】
本発明は、クリーニングするための構造的サポートと、クリーニングする布（典型的には、ミクロファイバーで作られている布。）から成っている。本発明において、道具のサイズと、クリーニングする頭部分の見点から分類すると、4種類のクラスがある。
クラス1。  クリーニングするための長い構造的サポートと、分離されているクリーニング用の布を持っている道具。（このクラスに属する道具は、図1-Aと、図1-Bと、図2-Aと、図2-Bと、図10-Aと、図10-Bと、図11-Aと、図11-Bと、図15-Aと、図15-Bと、図17-Aと、図17-Bに示されている。）
クラス2。  クリーニングするための長い構造的サポートと、取り付けられているクリーニング用の布を持っている道具。（このクラスに属する道具は、図4-Aと、図4-Bと、図5-Aと、図5-Bと、図18-Aと、図18-Bと、図19-Aと、図19-Bに示されている。）
クラス3。  クリーニングするための短い構造的サポートと、分離されているクリーニング用の布を持っている道具。（このクラスに属する道具は、図6と、図7-A と、図7-Bと、図13と、図14-Aと、図14-Bと、図20と、図21-Aと、図21-Bに示されている。）
クラス4。  クリーニングするための短い構造的サポートと、取り付けられているクリーニング用の布を持っている道具（このクラスに属する道具は、図8と図9-Aと、図9-Bと、図22と、図23-Aと、図23-Bに示されている。）
【０００７】
クラス1の特徴。クリーニング操作において、クリーニングするための構造的サポートの長さは、手のサイズよりずっと大きな画面面積を覆う。クリーニングするための構造的サポートの基底は、平である。クリーニングする頭部分（布）は、クリーニングするための構造的サポートから分離されている。
クラス2の特徴。クリーニング操作において、クリーニングするための構造的サポートの長さは、手のサイズよりずっと大きな画面面積を覆う。クリーニングするための構造的サポートの基底は平である。
クラス3の特徴。クリーニング操作において、クリーニングするための構造的サポートの長さは、手のサイズぐらいの画面面積を覆う。クリーニングするための構造的サポートの基底は平である。クリーニングする頭部分（布）は、クリーニングするための構造的サポートから分離されている。
クラス4の特徴。クリーニング操作において、クリーニングするための構造的サポートの長さは、手のサイズぐらいの画面面積を覆う。クリーニングするための構造的サポートの基底は平である。
【発明の効果】
【０００８】
クラス1の効果。使用者は、クリーニングする頭部分（布）を洗い、そして再利用する事ができる。なぜなら、クリーニングする頭部分（布）は、クリーニングするための構造的サポートから分離されているからである。このクラスの道具は、大きな画面（40 cmから2 m）をクリーニングするために、大へん役立つ。なぜなら、クリーニングするための構造的サポートが長いからである。たとえば、大きな画面（1 m から2 m）をクリーニングするためには、4回から9回のクリーニングする活動だけが必要である。このクラスの道具は、画面表面を完璧なクリーン状態にクリーニングする。なぜなら、クリーニングするための構造的サポートの基底が平であるからである。このクラスの道具は、大きな画面を、手を用いてクリーニングする方法より、ずっと効果的かつ効率的にクリーニングする。
クラス2の効果。このクラスの道具は、大きな画面（40 cm から2 m）をクリーニングするために、大へん役立つ。なぜなら、クリーニングするための構造的サポートが長いからである。例えば、大きな画面（1 mから2 m）をクリーニングするためには、4回から9回のクリーニングする活動だけが必要である。
このクラスの道具は、画面表面を完ぺきなクリーン状態にクリーニングする。なぜならば、クリーニングするための構造的サポートの基底が平であるからである。このクラスの道具は、大きな画面を、手を用いてクリーニングする方法より、ずっと効果的かつ効率的にクリーニングする。
クラス3の効果。使用者は、クリーニングする頭部分（布）を洗い、そして再利用することができる。なぜなら、クリーニングする頭部分（布）は、クリーニングするための構造的サポートから分離されているからである。このクラスの道具は、画面表面を完ぺきなクリーン状態にクリーニングする。なぜなら、クリーニングするための構造的サポートの基底が平であるからである。このクラスの道具は、小さな画面（50 cmまで）を、手を用いてクリーニングする方法より、ずっと効果的かつ効率的にクリーニングする。
クラス4の効果。このクラスの道具は、画面表面を完ぺきなクリーン状態にクリーニングする。なぜなら、クリーニングするための構造的サポートの基底が平であるからである。このクラスの道具は、小さな画面（50 cmまで）を、手を用いてクリーニングする方法より、ずっと効果的かつ効率的にクリーニングする。   
【図面の簡単な説明】
【０００９】
【図１−Ａ】長い基底A（主部と、鋭形前部と、非鋭形後部から成っている。）と、直立しているハンドルAAAと、分離されているクリーニング用の布AAで構成されている道具の図である。
【図１−Ｂ】長い基底B（主部と、鋭形前部と、鋭形後部から成っている。）と、直立しているハンドルAAAと、分離されているクリーニング用の布AAで構成されている道具の図である。
【図２−Ａ】長い基底C（主部と、非鋭形前部と、非鋭形後部から成っている。）と、直立しているハンドルAAAと、分離されているクリーニング用の布AAで構成されている道具の図である。
【図２−Ｂ】長い基底D（主部と、非鋭形前部と、鋭形後部から成っている。）と、直立しているハンドルAAAと、分離されているクリーニング用の布AAで構成されている道具の図である。
【図３】クリーニング用の布と一緒に、道具を使う方法。（図1-Aと、図1-Bと、図2-Aと、図2-Bと、図6と図7-Aと、図7-Bにおいて。）
【図４−Ａ】長い基底A（主部と、鋭形前部と、非鋭形後部から成っている。）と、直立しているハンドルAAAと、取り付けられているクリーニングする頭部分BBで構成されている道具の図である。
【図４−Ｂ】長い基底B（主部と、鋭形前部と、鋭形後部から成っている。）と、直立しているハンドルAAAと、取り付けられているクリーニングする頭部分BBで構成されている道具の図である。
【図５−Ａ】長い基底C（主部と、非鋭形前部と、非鋭形後部から成っている。）と、直立しているハンドルAAAと、取り付けられているクリーニング用の布BBで構成されている道具の図である。
【図５−Ｂ】長い基底D（主部と、非鋭形前部と、鋭形後部から成っている。）と、直立しているハンドルAAAと、取り付けられているクリーニングする頭部分BBで構成されている道具の図である。
【図６】短い基底E（主部と、鋭形前部から成っている。）と、直立しているハンドルAAAと、分離されているクリーニング用の布AAで構成されている道具の図である。
【図７−Ａ】短い基底F（主部から成っている。）と、直立しているハンドルAAAと、分離されているクリーニングする頭部分AAで構成されている道具の図である。
【図７−Ｂ】短い基底G（主部と、鋭形後部から成っている。）と、直立しているハンドルAAAと、分離されているクリーニングする頭部分AAで構成されている道具の図である。
【図８】短い基底E（主部と、鋭形前部から成っている。）と、直立しているハンドルAAAと、取り付けられているクリーニングする頭部分BBで構成されている道具の図である。
【図９−Ａ】短い基底F（主部から成っている。）と、直立しているハンドルAAAと、取り付けられているクリーニング用の布BBで構成されている道具の図である。
【図９−Ｂ】短い基底G（主部と、鋭形後部から成っている。）と、直立しているハンドルAAAと、取り付けられているクリーニング用の布BBで構成されている道具の図である。
【００１０】
【図１０−Ａ】長い基底A（主部と、鋭形前部と、非鋭形後部から成っている。）と、分離されているクリーニングする頭部分AAで構成されている道具の図である。
【図１０−Ｂ】長い基底B（主部と、鋭形前部と、鋭形後部から成っている。）と、分離されているクリーニングする頭部分AAで構成されている道具の図である。
【図１１−Ａ】長い基底C（主部と、非鋭形前部と、非鋭形後部から成っている。）と、分離されているクリーニングする頭部分AAで構成されている道具の図である。
【図１１−Ｂ】長い基底D（主部と、非鋭形前部と、鋭形後部から成っている。）と、分離されているクリーニングする頭部分AAで構成されている道具の図である。
【図１２】図10-Aと、図10-Bと、図11-Aと、図11-Bと、図13と、図14-Aと、図14-Bに示されている道具で、クリーニング用の布と一緒に道具を使う方法の図である。
【図１３】短い基底E（主部と、鋭形前部から成っている。）と、分離されているクリーニング用の布AAで構成されている道具の図である。
【図１４−Ａ】短い基底F（主部から成っている。）と、分離されているクリーニング用の布AAで構成されている道具の図である。
【図１４−Ｂ】短い基底G（主部と、鋭形後部から成っている。）と、分離されているクリーニング用の布AAで構成されている道具の図である。
【００１１】
【図１５−Ａ】長い厚い基底I（主部と、鋭形前部と、非鋭形後部から成っている。）と、分離されているクリーニング用の布AAで構成されている道具の図である。
【図１５−Ｂ】長い厚い基底J（主部と、鋭形前部と、鋭形後部から成っている。）と、分離されているクリーニング用の布AAで構成されている道具の図である。
【図１６】図15-Aと、図15-Bと、図17-Aと、図17-Bと、図20と、図21-Aと、図21-Bに示されている道具で、クリーニング用の布と一緒に道具を使う方法の図である。
【図１７−Ａ】長い厚い基底K（主部と、非鋭形前部と、非鋭形後部から成っている。）と、分離されているクリーニング用の布AAで構成されている道具の図である。
【図１７−Ｂ】長い厚い基底L（主部と、非鋭形前部と、鋭形後部から成っている。）と、分離されているクリーニング用の布AAで構成されている道具の図である。
【図１８−Ａ】長い厚い基底I（主部と、鋭形前部と、非鋭形後部から成っている。）と、取り付けられているクリーニング用の布BBで構成されている道具の図である。
【図１８−Ｂ】長い厚い基底J（主部と、鋭形前部と、鋭形後部から成っている。）と、取り付けられているクリーニング用の布BBで構成されている道具の図である。
【図１９−Ａ】長い厚い基底K（主部と、非鋭形前部と、非鋭形後部から成っている。）と、取り付けられているクリーニング用の布BBで構成されている道具の図である。
【図１９−Ｂ】長い厚い基底L（主部と、非鋭形前部と、鋭形後部から成っている。）と、取り付けられているクリーニング用の布BBで構成されている道具の図である。
【図２０】短い厚い基底M（主部と、鋭形前部から成っている。）と、分離されているクリーニング用の布AAで構成されている道具の図である。
【図２１−Ａ】短い厚い基底N（主部から成っている。）と、分離されているクリーニング用の布AAで構成されている道具の図である。
【図２１−Ｂ】短い厚い基底O（主部と、鋭形後部から成っている。）と、分離されているクリーニング用の布AAで構成されている道具の図である。
【図２２】短い厚い基底M（主部と、鋭形前部から成っている。）と、取り付けられているクリーニング用の布BBで構成されている道具の図である。
【図２３−Ａ】短い厚い基底N（主部から成っている。）と、取り付けられているクリーニング用の布BBで構成されている道具の図である。
【図２３−Ｂ】短い厚い基底O（主部と、鋭形後部から成っている。）と、取り付けられているクリーニング用の布BBで構成されている道具の図である。
【００１２】
【図２４】傾きなく開いた端を持つハンドルBBBの図である。
【図２５】傾きなく閉じた端を持つハンドルCCCの図である。
【図２６】傾きを持つハンドルDDDの図である。
【発明を実施するための形態】
【００１３】
道具の部分のタイプを容易に識別するために、そして、部分の同じタイプにおいて、相違をはっきりさせるために、以下の記号が使用されている。
基底部分用の1文字記号（A, B, C, D, E, F, G, H, I, J, K, L, M, N, O）。
クリーニングする頭部分（クリーニング用の布）用の2文字記号（AA, BB）。
ハンドル部分用の3文字記号（AAA, BBB, CCC, DDD）。
これらの記号は、図面の簡単な説明と、特許請求の範囲においても使われている。
【００１４】
基底と、ハンドルと、分離されているクリーニングする頭部分で構成されている道具のデザインを、図1-Aと、図1-Bと、図2-Aと、図2-Bに示している。
これらのデザインにおいては、使用者は、ハンドルと、クリーニング用の布を一緒に手で持つ。
図1-Aは、以下の実施形態である。長い基底Aと、直立しているハンドルAAAと、分離されているクリーニング用の布AAで構成されている道具。1は道具の基底である。2は道具の直立しているハンドルである。3は道具の分離されているクリーニングする頭部分である。4は基底の主部である。5は基底の鋭形前部である。6は基底の非鋭形後部である。
図1-Bは、以下の実施形態である。長い基底Bと、直立しているハンドルAAAと、分離されているクリーニングする頭部分AAで構成されている道具。7は基底の鋭形後部である。道具の他の部分のデザインは、図1-Aに示されている道具のデザインと同じである。ここで、他の部分とは、ハンドルと、分離されているクリーニングする頭部分と、基底の主部と、基底の鋭形前部である。
図2-Aは、以下の実施形態である。長い基底Cと、直立しているハンドルAAAと、分離されているクリーニング用の布AAで構成されている道具。11は道具の基底である。12は道具の直立しているハンドルである。16は道具の分離されているクリーニングする頭部分である。13は基底の主部である。15は基底の非鋭形前部である。14は基底の非鋭形後部である。
図2-Bは、以下の実施形態である。長い基底Dと、直立しているハンドルAAAと、分離されているクリーニング用の布AAで構成されている道具。17は基底の鋭形後部である。
道具の他の部分のデザインは、図2-Aに示されている道具のデザインと同じである。ここで他の部分とは、ハンドルと、分離されているクリーニングする頭部分と、基底の主部と、基底の非鋭形前部である。
図3は、図1-Aと、図1-Bと、図2-Aと、図2-Bと、図6と、図7-Aと、図7-Bに示されている道具の使用方法である。22は分離されているクリーニングする頭部分AAである。21は、クリーニング用の布に包まれた道具の基底とハンドルである。使用者が物体の表面をぬぐう時は、使用者は、道具のハンドルとクリーニング用の布AAを一緒に手で持つ。
図4-Aは、以下の実施形態である。長い基底Aと、直立しているハンドルAAAと、取り付けられているクリーニングする頭部分BBで構成されている道具。31は道具の基底である。32は道具のハンドルである。36は道具の取り付けられているクリーニングする頭部分である。35は基底の主部である。34は基底の鋭形前部である。33は基底の非鋭形後部である。
図4-Bは、以下の実施形態である。長い基底Bと、直立しているハンドルAAAと、取り付けられているクリーニングする頭部分BBで構成されている道具。37は鋭形後部である。38は道具の取り付けられているクリーニングする頭部分である。道具の他の部分のデザインは、図4-Aに示されている道具のデザインと同じである。ここで他の部分とは、ハンドルと、基底の主部と、基底の鋭形前部である。
図5-Aは、以下の実施形態である。長い基底Cと、直立しているハンドルAAAと、取り付けられているクリーニングする頭部分BBで構成されている道具。41は道具の基底である。42は道具のハンドルである。46は道具の取り付けられているクリーニングする頭部分である。45は基底の主部である。44は基底の非鋭形前部である。43は、基底の非鋭形後部である。
図5-Bは、以下の実施形態である。長い基底Dと、直立しているハンドルAAAと、取り付けられているクリーニングする頭部分BBで構成されている道具。47は道具の鋭形後部である。48は道具の取り付けられているクリーニングする頭部分である。道具の他の部分のデザインは、図5-Aに示されている道具のデザインと同じである。ここで他の部分とは、ハンドルと、基底の主部と、基底の非鋭形前部である。
図6は、以下の実施形態である。短い基底Eと、直立しているハンドルAAAと、分離されているクリーニングする頭部分AAで構成されている道具。50は道具の基底である。53は道具のハンドルである。54は道具の分離されているクリーニングする頭部分である。52は基底の主部である。51は基底の鋭形前部である。
図7-Aは、以下の実施形態である。短い基底Eと、直立しているハンドルAAAと、分離されているクリーニングする頭部分AAで構成されている道具。60は道具の基底である。62は道具のハンドルである。63は道具の分離されているクリーニングする頭部分である。61は基底の主部である。
図7-Bは、以下の実施形態である。短い基底Gと、直立しているハンドルAAAと、分離されているクリーニングする頭部分AAで構成されている道具。64は基底の鋭形後部である。道具の他の部分のデザインは、図7-Aに示されている道具のデザインと同じである。ここで他の部分とは、ハンドルと、分離されているクリーニングする頭部分と、基底の主部である。
図8は、以下の実施形態である。短い基底Eと、直立しているハンドルAAAと、取り付けられているクリーニングする頭部分BBで構成されている道具。70は道具の基底である。73は道具のハンドルである。74は道具の取り付けられているクリーニングする頭部分である。72は基底の主部である。71は基底の鋭形前部である。
図9-Aは、以下の実施形態である。短い基底Fと、直立しているハンドルAAAと、取り付けられている頭部分BBで構成されている道具。80は道具の基底である。82は道具のハンドルである。83は道具の取り付けられているクリーニングする頭部分である。81は基底の主部である。
図9-Bは、以下の実施形態である。短い基底Gと、直立しているハンドルAAAと、取り付けられているクリーニングする頭部分BBで構成されている道具。84は基底の鋭形後部である。85は道具の取り付けられているクリーニングする頭部分である。道具の他の部分のデザインは、図9-Aに示されている道具のデザインと同じである。ここで他の部分とは、ハンドルと、基底の主部である。
【００１５】
図10-Aは、以下の実施形態である。長い基底Aと、分離されているクリーニングする頭部分AAで構成されている道具。91は道具の基底である。95は道具の分離されているクリーニングする頭部分である。92は基底の主部である。94は基底の鋭形前部である。93は基底の非鋭形後部である。
図10-Bは、以下の実施形態である。長い基底Bと、分離されているクリーニングする頭部分AAで構成されている道具。96は基底の鋭形後部である。道具の他の部分のデザインは、図10-Aに示されている道具のデザインと同じである。ここで、他の部分とは、分離されているクリーニングする頭部分と、基底の主部と、基底の鋭形前部である。
図11-Aは、以下の実施形態である。長い基底Cと、分離されているクリーニングする頭部分AAで構成されている道具。101は道具の基底である。105は道具の分離されている頭部分である。102は基底の主部である。104は基底の非鋭形前部である。103は基底の非鋭形後部である。
図11-Bは、以下の実施形態である。長い基底Dと、分離されているクリーニングする頭部分AAで構成されている道具。106は基底の鋭形後部である。道具の他の部分のデザインは、図11-Aに示されている道具のデザインと同じである。ここで、他の部分とは、分離されているクリーニングする頭部分と、基底の主部と、基底の非鋭形前部である。
図12は、図10-Aと、図10-Bと、図11-Aと、図11-Bと、図13と、図14-Aと、図14-Bに示されている道具の使用方法である。114は分離されているクリーニングする頭部分である。113は分離されているクリーニング用の布に包まれた道具の基底である。使用者が物体の表面をぬぐうときは、使用者は道具の基底を包み、そして、クリーニング操作に構造的サポートを与えるために、基底を内部に保持する。
図13は、以下の実施形態である。短い基底Eと、分離されているクリーニングする頭部分AAで構成されている道具。120は道具の基底である。123は道具の分離されているクリーニングする頭部分である。122は基底の主部である。121は基底の鋭形前部である。
図14-Aは、以下の実施形態である。短い基底Fと、分離されているクリーニングする頭部分AAで構成されている道具。130は道具の基底である。132は道具の分離されているクリーニングする頭部分である。131は基底の主部である。
図14-Bは、以下の実施形態である。短い基底Gと、分離されているクリーニングする頭部分AAで構成されている道具。133は基底の鋭形後部である。道具の他の部分のデザインは、図14-Aに示されている道具のデザインと同じである。ここで、他の部分とは、分離されているクリーニングする頭部分と、基底の主部である。
【００１６】
図15-Aは、以下の実施形態である。長い厚い基底Iと、分離されているクリーニングする頭部分AAで構成されている道具。141は道具の基底である。145は分離されているクリーニングする頭部分AAである。143は基底の主部である。144は基底の鋭形前部である。142は基底の非鋭形後部である。
図15-Bは、以下の実施形態である。長い厚い基底Jと、分離されているクリーニングする頭部分AAで構成されている道具。146は基底の鋭形後部である。道具の他の部分のデザインは、図15-Aに示されている道具のデザインと同じである。ここで、他の部分とは、分離されているクリーニングする頭部分と、基底の主部と、基底の鋭形前部である。
図16は、図15-Aと、図15-Bと、図17-Aと、図17-Bと、図20と、図21-Aと、図21-Bに示されている道具の使用方法である。152は、分離されているクリーニングする頭部分AA。151は、分離されているクリーニング用の布に包まれた道具の基底である。使用者が物体の表面をぬぐう時は、使用者は、クリーニングする頭部分と一緒に、基底の側面を保持する。
図17-Aは、以下の実施形態である。長い厚い基底Kと、分離されているクリーニングする頭部分AAで構成されている道具。161は道具の基底である。166は分離されているクリーニングする頭部分である。163は基底の主部である。164は基底の非鋭形前部である。162は基底の非鋭形後部である。
図17-Bは、以下の実施形態である。長い厚い基底Lと、分離されているクリーニングする頭部分AAで構成されている道具。165は基底の鋭形後部である。道具の他のデザインは、図17-Aに示されている道具のデザインと同じである。ここで、他の部分とは、分離されているクリーニングする頭部分と、基底の主部と、基底の非鋭形前部である。
図18-Aは、以下の実施形態である。長い厚い基底Iと、取り付けられているクリーニングする頭部分BBで構成されている道具。171は道具の基底である。175は道具の取り付けられているクリーニングする頭部分である。174は基底の主部である。173は基底の鋭形前部である。172は基底の非鋭形後部である。
図18-Bは、以下の実施形態である。長い厚い基底Jと、取り付けられているクリーニングする頭部分BBで構成されている道具。176は基底の鋭形後部である。177は道具の取り付けられているクリーニングする頭部分である。
道具の他の部分のデザインは、図18-Aに示されている道具のデザインと同じである。ここで、他の部分とは、基底の主部と、基底の鋭形前部である。
図19-Aは、以下の実施形態である。長い厚い基底Kと、取り付けられているクリーニングする頭部分BBで構成されている道具。181は道具の基底である。185は道具の取り付けられているクリーニングする頭部分である。183は基底の非鋭形前部である。182は基底の非鋭形後部である。184は基底の主部である。
図19-Bは、以下の実施形態である。長い厚い基底Lと、取り付けられているクリーニングする頭部分BBで構成されている道具。186は基底の鋭形後部である。187は道具の取り付けられているクリーニングする頭部分である。道具の他の部分のデザインは、図19-Aに示されている道具のデザインと同じである。ここで、他の部分とは、基底の主部と、基底の非鋭形前部である。
図20は、以下の実施形態である。短い厚い基底Mと、分離されているクリーニングする頭部分AAで構成されている道具。190は道具の基底である。192は道具の分離されているクリーニングする頭部分である。191は基底の主部である。193は基底の鋭形前部である。
図21-Aは、以下の実施形態である。短い厚い基底Nと、分離されているクリーニングする頭部分AAで構成されている道具。194は道具の基底である。195は分離されているクリーニングする頭部分である。196は基底の主部である。
図21-Bは、以下の実施形態である。短い厚い基底Oと、分離されているクリーニングする頭部分AAで構成されている道具。197は基底の鋭形後部である。道具の他の部分のデザインは、図21-Aに示されている道具のデザインと同じである。ここで、他の部分とは、分離されているクリーニングする頭部分と、基底の主部である。
図22は、以下の実施形態である。短い厚い基底Mと、取り付けられているクリーニングする頭部分BBで構成されている道具。198は道具の基底である。199は道具の取り付けられているクリーニングする頭部分である。200は基底の主部である。201は基底の鋭形前部である。
図23-Aは、以下の実施形態である。短い厚い基底Nと、取り付けられているクリーニングする頭部分BBで構成されている道具。202は道具の基底である。203は道具の取り付けられているクリーニングする頭部分である。204は、基底の主部である。
図23-Bは、以下の実施形態である。短い厚い基底Oと、取り付けられているクリーニングする頭部分BBで構成されている道具。205は基底の鋭形後部である。206は道具の取り付けられているクリーニングする頭部分である。道具の他の部分のデザインは、図23-Aに示されている道具のデザインと同じである。ここで、他の部分とは、基底の主部である。
【００１７】
図24は、以下の実施形態である。傾きなく開いた端を持つ、道具のハンドルBBBである。231は道具の基底である。232は傾きなく開いた端を持つハンドルである。
図25は、以下の実施形態である。傾きなく閉じた端をもつ、道具のハンドルCCCである。235は道具の基底である。236は傾きなく閉じた端を持つハンドルである。
図26は、以下の実施形態である。傾きを持つ、道具のハンドルDDDである。241は道具の基底である。242は傾きを持つハンドルである。
【符号の説明】
【００１８】
1長い基底A、2直立したハンドルAAA、3分離されているクリーニングする頭部分AA、4基底の主部、5基底の鋭形前部、6基底の非鋭形後部、7基底の鋭形後部、
11長い基底C、12直立しているハンドルAAA、13基底の主部、14基底の非鋭形後部、15基底の非鋭形前部、16分離されているクリーニングする頭部分AAA、17基底の鋭形後部、
21道具の基底とハンドル、22分離されているクリーニングする頭部分AA、
31長い基底A、32直立しているハンドルAAA、33基底の非鋭形後部、34基底の鋭形前部、35基底の主部、36取り付けられているクリーニングする頭部分BB、37基底の鋭形後部、38取り付けられているクリーニングする頭部分BB、
41長い基底C、42直立しているハンドルAAA、43基底の非鋭形後部、44基底の非鋭形前部、45基底の主部、46取り付けられているクリーニングする頭部分BB、47基底の鋭形後部、48取り付けられているクリーニングする頭部分BB、
50短い基底E、51基底の鋭形前部、52基底の主部、53直立しているハンドルAAA、54分離されているクリーニングする頭部分AA、
60短い基底F、61基底の主部、62直立しているハンドルAAA、63分離されているクリーニングする頭部分AA、64基底の鋭形後部、
70短い基底E、71基底の鋭形前部、72基底の主部、73直立しているハンドルAAA、74取り付けられているクリーニングする頭部分BB、
80短い基底F、81基底の主部、82直立しているハンドルAAA、83取り付けられているクリーニングする頭部分BB、84基底の鋭形後部、85取り付けられているクリーニングする頭部分BB、
91長い基底A、92基底の主部、93基底の非鋭形後部、94基底の鋭形前部、95分離されているクリーニングする頭部分AA、96基底の鋭形後部、
101長い基底C、102基底の主部、103基底の非鋭形後部、104基底の非鋭形前部、105分離されているクリーニングする頭部分AA、106基底の鋭形後部、
113道具の基底、114分離されているクリーニングする頭部分AA、
120短い基底E、121基底の鋭形前部、122基底の主部、123分離されているクリーニングする頭部分AA、
130短い基底F、131基底の主部、132分離されているクリーニングする頭部分AA、133基底の鋭形後部、
141長い厚い基底I、142基底の非鋭形後部、143基底の主部、144基底の鋭形前部、145分離されているクリーニングする頭部分AA、146基底の鋭形後部、
151道具の基底、152分離されているクリーニングする頭部分AA、
161長い厚い基底K、162基底の非鋭形後部、163基底の主部、164、基底の非鋭形前部、165基底の鋭形後部、166分離されているクリーニングする頭部分AA、
171長い厚い基底I、172基底の非鋭形後部、173基底の鋭形前部、174基底の主部、175取り付けられているクリーニングする頭部分BB、176基底の鋭形後部、177取り付けられているクリーニングする頭部分BB、
181長い厚い基底K、182基底の非鋭形後部、183基底の非鋭形前部、184基底の主部、185取り付けられているクリーニングする頭部分BB、186基底の鋭形後部、187取り付けられているクリーニングする頭部分BB、186基底の鋭形後部、187取り付けられているクリーニングする頭部分BB、
190短い厚い基底M、191基底の主部、192分離されているクリーニングする頭部分AA、193基底の鋭形前部、194短い厚い基底N、195分離されているクリーニングする頭部分AA、196基底の主部、197基底の鋭形後部、198短い厚い基底M、199取り付けられているクリーニングする頭部分BB、
200基底の主部、201基底の鋭形前部、202短い厚い基底N、203取り付けられているクリーニングする頭部分BB、204基底の主部、205基底の鋭形後部、206取り付けられているクリーニングする頭部分BB、
231道具の基底、232傾きを持たない開いた端を持つハンドルBBB、235道具の基底、236傾きを持たない閉じた端を持つハンドルCCC、
241道具の基底、242傾きを持つハンドルDDD。
【図１−Ａ】
2018149267.tif 000003
【図１−Ｂ】
2018149267.tif 000004
【図２−Ａ】
2018149267.tif 000005
【図２−Ｂ】
2018149267.tif 000006
【図３】
2018149267.tif 000007
【図４−Ａ】
2018149267.tif 000008
【図４−Ｂ】
2018149267.tif 000009
【図５−Ａ】
2018149267.tif 000010
【図５−Ｂ】
2018149267.tif 000011
【図６】
2018149267.tif 000012
【図７−Ａ】
2018149267.tif 000013
【図７−Ｂ】
2018149267.tif 000014
【図８】
2018149267.tif 000015
【図９−Ａ】
2018149267.tif 000016
【図９−Ｂ】
2018149267.tif 000017
【図１０−Ａ】
2018149267.tif 000018
【図１０−Ｂ】
2018149267.tif 000019
【図１１−Ａ】
2018149267.tif 000020
【図１１−Ｂ】
2018149267.tif 000021
【図１２】
2018149267.tif 000022
【図１３】
2018149267.tif 000023
【図１４−Ａ】
2018149267.tif 000024
【図１４−Ｂ】
2018149267.tif 000025
【図１５−Ａ】
2018149267.tif 000026
【図１５−Ｂ】
2018149267.tif 000027
【図１６】
2018149267.tif 000028
【図１７−Ａ】
2018149267.tif 000029
【図１７−Ｂ】
2018149267.tif 000030
【図１８−Ａ】
2018149267.tif 000031
【図１８−Ｂ】
2018149267.tif 000032
【図１９−Ａ】
2018149267.tif 000033
【図１９−Ｂ】
2018149267.tif 000034
【図２０】
2018149267.tif 000035
【図２１−Ａ】
2018149267.tif 000036
【図２１−Ｂ】
2018149267.tif 000037
【図２２】
2018149267.tif 000038
【図２３−Ａ】
2018149267.tif 000039
【図２３−Ｂ】
2018149267.tif 000040
【図２４】
2018149267.tif 000041
【図２５】
2018149267.tif 000042
【図２６】
2018149267.tif 000043
【外国語明細書】
2018149267.tif 000044
2018149267.tif 000045
2018149267.tif 000046
2018149267.tif 000047
2018149267.tif 000048
2018149267.tif 000049
2018149267.tif 000050
2018149267.tif 000051
2018149267.tif 000052
2018149267.tif 000053
2018149267.tif 000054
2018149267.tif 000055
2018149267.tif 000056
2018149267.tif 000057
2018149267.tif 000058
2018149267.tif 000059
2018149267.tif 000060
2018149267.tif 000061
2018149267.tif 000062
2018149267.tif 000063
2018149267.tif 000064
2018149267.tif 000065
2018149267.tif 000066
2018149267.tif 000067
2018149267.tif 000068
2018149267.tif 000069
2018149267.tif 000070
2018149267.tif 000071
2018149267.tif 000072
2018149267.tif 000073
2018149267.tif 000074
2018149267.tif 000075
2018149267.tif 000076
2018149267.tif 000077
2018149267.tif 000078
2018149267.tif 000079
2018149267.tif 000080
2018149267.tif 000081
2018149267.tif 000082
2018149267.tif 000083
2018149267.tif 000084
2018149267.tif 000085
2018149267.tif 000086